(57)【要約】【課題】新規な形態で使用者にとって使い易い手持ち型のプロジェクタ装置を提供すること。【解決手段】本発明のプロジェクタ装置は、手で保持した状態で画像を投影可能なプロジェクタにおいて、投影用画像とこの投影用画像に関連する情報とを記録している画像記録メディア１０６が装着される装着部３と、画像記録メディア１０６から投影用画像と投影用画像に関連する情報とを選択的に読み出す画像読出部２と、画像読出部２で読み出された投影用画像と投影用画像に関連する情報とを表示する確認用液晶パネル１０７ａとを備えており、投影操作釦１０２の手動操作に応じて、確認用液晶パネル１０７ａに表示された投影用画像と等価な画像のみが投影される。【選択図】      図７
2006053387.tif 000002
【特許請求の範囲】
【請求項１】
手で保持した状態で画像を投影可能なプロジェクタにおいて、
投影用画像とこの投影用画像に関連する情報とを記録している記録媒体を装着するための装着手段と、
上記装着手段に装着された上記記録媒体から上記投影用画像と上記投影用画像に関連する情報とを選択的に読み出す読出手段と、
上記読出手段で読み出された上記投影用画像と上記投影用画像に関連する情報とを表示する表示手段と、
操作部材の手動操作に応じて、上記表示手段に表示された上記投影用画像と等価な画像のみを投影する投影手段と、
を具備することを特徴とするプロジェクタ装置。
【請求項２】
上記記録手段が記録している投影用画像を選択するための選択手段を更に具備し、
上記読出手段は、上記選択手段によって選択された投影用画像を上記記録手段から読み出すことを特徴とする請求項１に記載のプロジェクタ装置。
【請求項３】
上記表示手段は、当該プロジェクタ装置に取り付けられた液晶表示パネルを含むことを特徴とする請求項１に記載のプロジェクタ装置。
【請求項４】
上記操作部材は、押圧操作可能に構成された押操作部材であり、
上記投影手段は、上記操作部材の押操作に応じて上記投影用画像と等価な画像の投影を行い、上記操作部材の押操作の解除に応じて上記投影用画像と等価な画像の投影を中止することを特徴とする請求項１に記載のプロジェクタ装置。
【請求項５】
上記表示手段は、上記操作部材の押操作に応じて非表示状態に切り換わることを特徴とする請求項４に記載のプロジェクタ装置。
【発明の詳細な説明】
【技術分野】
【０００１】
本発明は、プロジェクタ装置に関し、特に、手で保持した状態で画像を投影可能なプロジェクタ装置に関する。
【背景技術】
【０００２】
デジタルカメラなどの画像撮影機器には、撮影した画像を表示するためのモニタ装置が設けられているものが多い。このモニタ装置は、個人で撮影した画像を確認できるようにするためのものであり、多人数で同時に画像を見るなどの使い方には適していない。したがって、撮影画像を多人数で見て楽しむために、撮影画像をプロジェクタ装置を用いてスクリーン上に拡大表示することがある。この種のプロジェクタ装置は、従来から種々提案されている（例えば、特許文献１参照）。
【特許文献１】特開平６−２８１９０６号公報
【発明の開示】
【発明が解決しようとする課題】
【０００３】
ところで、プロジェクタ装置は高輝度光源が必要であり、その光源（例えば電球）の大きさ、及びその光源から発せられる熱の問題のために小型化が困難である。したがって、現在市販されているプロジェクタ装置は、据置型のものが一般的である。
【０００４】
しかしながら、３〜４人程度で撮影画像を楽しむという目的であれば、大きなスクリーン上に画像投影せずに、テレビモニタ程度の大きさの壁等に投影するだけで充分である。また、最近では高輝度の白色ＬＥＤが実用化されたことによって、小型で発熱の少ない光源が実現できるようになったので、この白色ＬＥＤを光源として採用することで、使用者がプロジェクタ装置を片手で持ったまま壁などに向けて画像投影可能な超小型プロジェクタ装置も実現可能である。
【０００５】
本発明は、上記の事情に鑑みてなされたもので、新規な形態で使用者にとって使い易い手持ち型のプロジェクタ装置を提供することを目的とする。
【課題を解決するための手段】
【０００６】
上記の目的を達成するために、本発明の第１の態様によるプロジェクタ装置は、手で保持した状態で画像を投影可能なプロジェクタにおいて、投影用画像とこの投影用画像に関連する情報とを記録している記録媒体を装着するための装着手段と、上記装着手段に装着された上記記録媒体から上記投影用画像と上記投影用画像に関連する情報とを選択的に読み出す読出手段と、上記読出手段で読み出された上記投影用画像と上記投影用画像に関連する情報とを表示する表示手段と、操作部材の手動操作に応じて、上記表示手段に表示された上記投影用画像と等価な画像のみを投影する投影手段とを具備することを特徴とする。
【０００７】
この第１の態様によれば、投影画像の投影を行うに先立って、表示手段に投影用画像とこの投影用画像に関連する情報とを表示させることにより、投影用画像の確認を行うことができ、使い勝手が良い。
【発明の効果】
【０００８】
本発明によれば、新規な形態で使用者にとって使い易い手持ち型のプロジェクタ装置を提供することができる。
【発明を実施するための最良の形態】
【０００９】
以下、図面を参照して本発明の実施形態を説明する。  
図１は、本発明の一実施形態に係るプロジェクタ装置の外観図である。図１に示すように本プロジェクタ装置１００には、メインスイッチ（ＳＷ）１０１と、投影操作釦１０２と、選択ダイアル１０３と、投影レンズ１０４と、画像記録メディア装着部蓋１０５と、可倒式表示部１０７とが配置されている。
【００１０】
メインスイッチ１０１は、本プロジェクタ装置１００の主電源のオンオフを切り換えるためのスイッチである。また、投影操作釦１０２は、画像投影のオンオフを切り換えるための押操作部材である。即ち、本プロジェクタ装置１００においては、使用者によって投影操作釦１０２が押圧されている間は、投影レンズ１０４を介して図２のようにして投影用画像２００が投影される。投影レンズ１０４は複数の光学系で構成されており、使用者によって選択された画像を拡大して投影面に投影する。
【００１１】
また、選択手段としての選択ダイアル１０３は、投影用画像の選択切り換えを行うための回転操作部材である。即ち、選択ダイアル１０３を回転操作させた場合には、その回転量に応じてプロジェクタ装置１００に装着された画像記録メディア内の画像データの中から投影される画像の選択切換が行われる。
【００１２】
また、画像記録メディア装着部蓋１０５は、記録媒体としての画像記録メディア１０６を本プロジェクタ装置１００に装着するための装着部を覆う蓋である。ここで、画像記録メディア１０６は、例えばメモリカードなどで構成されており、図３に示すようなデジタルカメラ３００に対して挿脱自在な記録メディアである。デジタルカメラ３００の画像記録メディア装着部３０１に画像記録メディア１０６を挿入することで、デジタルカメラ３００によって撮影された画像を画像記録メディア１０６に記録することができる。なお、画像記録メディア１０６に撮影画像を記録する際には、この撮影画像に関連する情報（ファイル管理情報）も同時に記録される。
【００１３】
図４は、撮影画像とファイル管理情報とが画像記録メディア１０６内でどのように割り付けられて記録されるのかを概念的に示した図である。図４に示すように、画像記録メディア１０６の記録領域はファイル管理領域１０６ａと画像格納領域１０６ｂとに分割されている。
【００１４】
ファイル管理領域１０６ａはファイル管理情報が記録される記録領域である。ここで、ファイル管理情報としては、画像データが格納されているセクタ番号を指定するための使用セクタ番号と、画像ファイルのファイル名、画像の撮影日付、撮影時の撮影フレーム番号等の各種情報とが記録される。
【００１５】
また、画像格納領域１０６ｂは、撮影によって得られた画像データが記録される記録領域である。画像格納領域１０６ｂに格納されている画像データを読み出す際には、ファイル情報に記録された使用セクタ番号が参照され、該当するセクタ番号に格納されている画像データが読み出される。
【００１６】
デジタルカメラ３００から画像記録メディア１０６を取り出してプロジェクタ装置１００に装着することで、画像記録メディア１０６に格納された撮影画像を投影用画像としてスクリーンや壁面などの投影面上に投影することが可能である。
【００１７】
また、図１に示す可倒式表示部１０７は、本プロジェクタ装置１００に対して開閉自在に構成された表示部である。この可倒式表示部１０７を開くことにより、図５のようにして表示手段としての確認用液晶パネル１０７ａが露出するようになる。この確認用液晶パネル１０７ａにより、ユーザは投影用画像を確認することができる。また、本一実施形態では、確認用液晶パネル１０７ａにおける投影用画像確認表示の際に、この投影用画像に関する情報を図６のようにして確認用液晶パネル１０７ａ上に表示させる。この投影用画像に関する情報は、画像記録メディア１０６のファイル管理領域１０６ａに記録されたファイル情報が参照される。この表示の詳細については後で説明する。
【００１８】
図７は、本発明の一実施形態に係るプロジェクタ装置の内部構成について示すブロック図である。なお、図７は、画像記録メディア１０６が装着された状態の図を示している。  
制御部１は、本プロジェクタ装置の画像投影制御を行うための制御部である。この制御部１は、画像読出部２、装着部３、切換スイッチ６、駆動部７、及び検知部１６に接続されている。
【００１９】
画像読出部２は、装着部３を介して画像記録メディア１０６に接続されている。また、装着部３は、制御部１に接続されており、制御部１において装着部３に画像記録メディア１０６が装着されているか否かが判定できるようになっている。更に画像読出部２は画像表示部５に接続されている。画像読出部２では、制御部１の画像投影開始指示を受けて、装着部３を介して本プロジェクタ装置に装着された画像記録メディア１０６に記録されている画像データが読み出されて画像表示部５に出力される。
【００２０】
画像表示部５は切換スイッチ６を介して確認用液晶パネル１０７ａに接続されている。また、切換スイッチ６は投影用液晶パネル１０にも接続されている。切換スイッチ６がＡ接点側に切り換わっている状態において、画像表示部５では、画像読出部２で読み出された投影用画像データに基づいて確認用液晶パネル１０７ａへの画像表示制御が行われ、この結果、確認用液晶パネル１０７ａ上に確認用の画像が表示される。また、これと同時に、画像表示部５では画像データとともに画像記録メディア１０６に記録されたファイル情報を参照して、投影用画像に関する情報を図６のようにしてスーパーインポーズ表示する制御がなされる。
【００２１】
駆動部７は、確認用液晶パネル１０７ａ上に表示された画像と等価な画像を、図示しないスクリーン上に投影するための投影用光源８を発光駆動する電流供給部である。即ち、駆動部７は、制御部１からの画像投影開始指示を受けて、投影用光源８に電流を供給することにより投影用光源８を発光させる。また、このときの電流の供給量を調整することにより、投影用光源８を発光させる際の光量を調整する。ここで、投影用光源８には、高輝度白色ＬＥＤのような小型で発熱量の少ない光源を用いることが好ましい。このような光源を用いることで、プロジェクタ装置の大型化を抑制することができる。
【００２２】
投影用光源８の光路上には、コンデンサレンズ９が配置されており、このコンデンサレンズ９を通過した光は平行光に集光される。また、このとき制御部１によって切換スイッチ６がＢ接点側に切り換えられる。これによって、画像表示部５では、画像読出部２で読み出された投影用画像データに基づいて投影用液晶パネル１０への画像表示制御が行われ、この結果、投影用液晶パネル１０上に投影用の画像が表示される。コンデンサレンズ９を介して投影用液晶パネル１０に入射した平行光によって投影用液晶パネル１０に表示された画像の投影が行われる。この投影光は、保護ガラス１１を介して、第１のプリズム１２、開口絞り１３、第２のプリズム１４からなる投影レンズ系に入射する。
【００２３】
ここで、本プロジェクタ装置の投影レンズ系は、図７に示すように２個のプリズムを組み合わせて構成するようにしている。一般に光学性能を高めるためには、光学系全体の光路長をある程度長くするような設計が必要であるが、光路長を長くしてしまうと装置が大型化してしまう。そこで、本プロジェクタ装置では、入射面、射出面、及び反射面の一部または全部がパワーを有する曲面（球面や平面から大きく形状が逸脱した自由曲面）で形成された自由曲面プリズム光学系を利用し、この自由曲面プリズムによって光路を折り曲げることによって光路長を長くしている。これにより、プロジェクタ装置の大型化を抑制しつつ、高性能の画像投影を行うことができる。ここで、第１のプリズム１２は、光入射面、２つの反射面、及び光射出面が自由曲面になっている。また、第２のプリズム１４は、光入射面、反射面、及び光射出面が自由曲面になっている。また、投影レンズ系中に配置された開口絞り１３は投影面を規制するために設けられている。
【００２４】
このような投影レンズ系から出射された投影光により、投影用液晶パネル１０に表示された画像が、保護ガラス１５を介して画像投影面としての図示しないスクリーン上に投影される。
【００２５】
また、検知部１６は、上記メインスイッチ１０１、上記投影操作釦１０２、及び上記選択ダイアル１０３に接続されており、この検知部１６においてメインスイッチ１０１のオンオフ状態や、投影操作釦１０２の操作状態、選択ダイアル１０３の操作状態が検知される。これらに従って制御部１は各種の制御を行う。
【００２６】
図８は、本プロジェクタ装置におけるメインの制御について示したフローチャートである。この図８の制御は、制御部１によって行われる。  
メインスイッチ１０１がオンされると、図８の制御が開始して、制御部１は、画像記録メディア１０６が装着部３に装着されているか否かを判定し（ステップＳ１）、画像記録メディア１０６が装着部３に装着されるまで待機する。一方、ステップＳ１の判定において、画像記録メディア１０６が装着部３に装着されていると判定した場合には、ステップＳ１をステップＳ２に分岐して、制御部１は、切換スイッチ６をＡ接点側に切り換えて確認用液晶パネル１０７ａを選択する（ステップＳ２）。
【００２７】
次に、制御部１は、画像記録メディア１０６に記録されている１枚目の画像に関するファイル情報を読み出すように画像読出部２に読み出し指示を送り、ファイル情報に記録されている使用セクタ数を参照して、１枚目の画像データを選択する（ステップＳ３）。そして、確認用液晶パネル１０７ａ上に１枚目の画像を確認用の画像として表示させる（ステップＳ４）。上記したように、本一実施形態では、確認用の画像を表示する際に、この画像に関する情報をスーパーインポーズ表示する。このとき表示される情報は、例えば図５に示すファイル名４０１、撮影日付４０２、撮影フレーム数４０３等である。これら以外の情報を表示させるようにしても良いことは言うまでもない。
【００２８】
ステップＳ４において確認用の画像を表示させた後、制御部１は、投影操作釦１０２がオンされたか否か、即ち投影操作釦１０２が押圧状態であるか否かを判定する（ステップＳ５）。ステップＳ５の判定において、投影操作釦１０２がオンされていないと判定した場合には、ステップＳ５をステップＳ６に分岐して、制御部１は、選択ダイアル１０３が操作されて投影用画像の選択操作がなされたか否かを判定する（ステップＳ６）。ステップＳ６の判定において、選択操作がなされていないと判定した場合には、ステップＳ５に戻る。一方、ステップＳ６の判定において、選択操作がなされたと判定した場合には、ステップＳ６をステップＳ７に分岐して、制御部１は、画像記録メディア１０６に記録されている次の画像データを読み出すように画像読出部２に読み出し指示を送る（ステップＳ７）。その後、ステップＳ５に戻る。
【００２９】
一方、ステップＳ５の判定において、投影操作釦１０２がオンされたと判定した場合には、ステップＳ５をステップＳ８に分岐して、制御部１は、確認用の画像表示をオフする（ステップＳ８）。その後、制御部１は、切換スイッチ６をＢ接点側に切り換えて投影用液晶パネル１０を選択し（ステップＳ９）、上記したようにして投影用画像の投影を行う（ステップＳ１０）。
【００３０】
その後、制御部１は、投影操作釦１０２がオンのままであるか否か、即ち投影操作釦１０２の押圧状態が解除されたか否かを判定する（ステップＳ１１）。ステップＳ１１の判定において、投影操作釦１０２がオンのままである間は、投影用画像の投影を継続する。
【００３１】
一方、ステップＳ１１の判定において、投影操作釦１０２がオフされたと判定した場合には、ステップＳ１１をステップＳ１２に分岐して、制御部１は、投影画像の投影を終了した後（ステップＳ１２）、切換スイッチ６をＡ接点側に切り換えて確認用液晶パネル１０７ａを選択する（ステップＳ１３）。その後、ステップＳ７に移行して次の画像データを選択し、次の画像の確認用画像を確認用液晶パネル１０７ａ上に表示させる。このように、本一実施形態では、１つの画像の投影が終了した後は、使用者による投影画像変更の操作がなされなくとも次の画像の確認画像を確認用液晶パネル１０７ａ上に表示させるようにしている。
【００３２】
以上説明したように、本一実施形態によれば、高輝度白色ＬＥＤを利用することで使用者が片手で持ったまま使用できる超小型のプロジェクタを実現できる。また、画像の投影前に確認用液晶パネル１０７ａ上に確認用の画像を表示させるようにするので、例えば使用者が投影したくないような画像を誤って投影してしまうなどの可能性も低減される。
【００３３】
また、確認用の画像を表示させる際には、同時に画像に関する情報をスーパーインポーズ表示するようにすることで、この情報を投影画像選択の際に参考にすることができる。
【００３４】
更には、確認用液晶パネル１０７ａが設けられた表示部を可倒式とすることにより、投影中などの確認表示が必要ないときに邪魔にならない。
【００３５】
以上実施形態に基づいて本発明を説明したが、本発明は上記した実施形態に限定されるものではなく、本発明の要旨の範囲内で種々の変形や応用が可能なことは勿論である。
【００３６】
更に、上記した実施形態には種々の段階の発明が含まれており、開示される複数の構成要件の適当な組合せにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【００３７】
【図１】本発明の一実施形態に係るプロジェクタ装置の外観図である。
【図２】本発明の一実施形態に係るプロジェクタ装置によって投影用画像を投影する際の様子を示す図である。
【図３】画像記録メディアが装着されるデジタルカメラの図である。
【図４】撮影画像とファイル管理情報とが画像記録メディア１０６内でどのように割り付けられて記録されるのかを概念的に示した図である。
【図５】可倒式表示部について説明するための図である。
【図６】投影画像に関する情報を確認用液晶パネル上にスーパーインポーズ表示する際の様子を示す図である。
【図７】本発明の一実施形態に係るプロジェクタ装置の内部構成について示すブロック図である。
【図８】本発明の一実施形態に係るプロジェクタ装置におけるメインの制御について示したフローチャートである。
【符号の説明】
【００３８】
１…制御部、２…画像読出部、３…装着部、５…画像表示部、６…切換スイッチ、７…駆動部、８…投影用光源、９…コンデンサレンズ、１０…投影用液晶パネル、１１…保護ガラス、１２…第１のプリズム、１４…第２のプリズム、１５…保護ガラス、１６…検知部、１０１…メインスイッチ、１０２…投影操作釦、１０３…選択ダイアル、１０４…投影レンズ、１０５…画像記録メディア装着部蓋、１０６…画像記録メディア、１０７…可倒式表示部、１０７ａ…確認用液晶パネル
【図１】
2006053387.tif 000003
【図２】
2006053387.tif 000004
【図３】
2006053387.tif 000005
【図４】
2006053387.tif 000006
【図５】
2006053387.tif 000007
【図６】
2006053387.tif 000008
【図７】
2006053387.tif 000009
【図８】
2006053387.tif 000010